(57)【要約】【課題】本発明は、水上および陸上用太陽光用モジュール構造体に関するもので、より具体的には、水面に設置される太陽光セルモジュールが強風と集中豪雨に影響を受けないながら、手軽で、迅速で、安い費用で、地上に設置できるようにする。【解決手段】傾斜面を形成した上面に、太陽光セルモジュールが設置された固定体１を含み、上記の固定体は、水面位に浮上可能な水上用浮力体１ａまたは、地面に設置される陸上用フレーム構造１ｂを含み、一定の長さを有するアンカーファイル３３を上記の固定体１に設置された支持台３０を貫通させて地面から地下側に埋設されるようにすることで、上記の固定体１を水面と地面に兼用に設置可能な太陽光セルモジュール構造体を提供する。【選択図】図２
2014229888.tif 000002
【特許請求の範囲】
【請求項１】
上端に傾斜面が形成され、水面で浮上可能な浮力体からなる固定体と、前記傾斜面に設置される太陽光セルモジュールを含み、
前記太陽光セルモジュールは、前記傾斜面に対してボルトで固定され、前記傾斜面の両側に形成したスライド引出し部内部へスライド挿入され、前記傾斜面の縁から上向き突出した複数個の支持部の各端顎に安着固定されることを特徴とする太陽光セルモジュール構造体。
【請求項２】
前記の固定体の側面に固定ブラケットが設置され、前記の固定体複数個が一列で間隔を形成して配列され、または、前後左右に配列され、前記の各固定ブラケットに連結フレームが締結されて複数個の固定体が相互連結され、縁に位置した固定体は、地面に設置された固定支柱とワイヤーで連結されることで、水位変換によって、各固定体が昇降作動するようになることを特徴とする請求項１記載の太陽光セルモジュール構造体。
【請求項３】
前記の固定体の側面に、ヒンジ穴が形成された固定ブラケットが設置され、前記の固定体の複数個が一列に間隔を形成して配列され、または、前後左右に配列されて、前記の各固定ブラケットの間を連結するため、左右両端にヒンジ穴が形成された連結片を積み重ねて、各ヒンジ穴にヒンジを挿入締結して各固定体が連結され、縁に位置した固定体は、地面に設置された固定支柱とワイヤーで連結されることで、水位変換によって、各固定体が昇降作動することを特徴とする請求項１記載の太陽光セルモジュール構造体。
【請求項４】
前記の固定体の垂直した外壁面に、上下方向に溝が形成されたレールと、前記レールの上側で下方結束可能になり、隣り合った他の固定体の外壁面に形成されたレールに同時に結束する形態としで、複数個の固定体を相互連結する連結具をさらに含み、縁に位置した固定体は、地面に設置された固定支柱とワイヤーで連結されて水位変換によって、各固定体が昇降作動可能になることを特徴とする請求項１記載の太陽光セルモジュール構造体。
【請求項５】
前記の固定体と前記の固定支柱の間に連結されたワイヤーには、ワイヤー引き締め部が結合されて、ワイヤーを引き締めおよび解け可能になることを特徴とする第２項乃至第４項のいずれの一項の太陽光セルモジュール構造体。
【請求項６】
一定の長さを有するアンカーファイルを前記の固定体に設置した支持台を貫通させて、地面から地下側に埋設するようにすることで、前記の固定体を陸上に設置可能になることを特徴とする請求項１記載の太陽光セルモジュール構造体。
【請求項７】
前記アンカーファイルの上部に、雌ネジ部が形成され、前記支持台には、前記の雌ネジ部に、ねじ締結されたボルトが貫通して固定されたことを特徴とする請求項６記載の太陽光セルモジュール構造体。
【請求項８】
前記傾斜面には、固定体の内側へ重量体を入り込むように、注入口が形成されたり、固定体の内部に、均衡錘が内蔵されたことを特徴とする請求項１記載の太陽光セルモジュール構造体。
【請求項９】
前記の固定体の複数個を前後左右方向に並んで配列するため、各固定の側面に輪が着脱可能に設けられ、前記の各輪には、一定の長さを有する固定バーが水平に貫通して各固定体を相互固定可能になることを特徴とする請求項１記載の太陽光セルモジュール構造体。
【発明の詳細な説明】
【技術分野】
【０００１】
本発明は、太陽光セルモジュール構造体に関するもので、より具体的には、水上用として太陽光セルモジュールを上面に結合した浮力固定体を河川、湖、貯水池、ダムなどの水面に一列または、前・後・左・右に配列して、互いに連結した後、枠にある浮力固定体を固定支柱に固定して、水位変化によって可変的に高さを調節できるようにすると共に、浮上した状態を維持させることで、太陽光を集光して発電させることができ、また、浮力固定体に形成した間隔保持突起およびヒンジ連結された固定ブラケットによって間隔を維持できるようにして、太陽光セルが陰になることを防止できると共に、このような、浮力固定体を用いて、上面に太陽光セルモジュールを固定した固定体をコンクリートなどで平坦化作業を行うことなく、簡単で、速かに陸上に設置できるようにする太陽光セルモジュール構造体に関する。
【背景技術】
【０００２】
一般的に、太陽エネルギーを利用する方法は、太陽によって、暖められた水を用いて、暖房および発電をする太陽熱を利用する方法と、太陽の光を用いて、電気を発生させて、電気で各種の機械および機構を作動させる太陽光を利用する方法に区分される。
【０００３】
太陽光を利用する方法を太陽光発電と称し、太陽光発電設備は、独立型太陽光発電設備と、系統連係型太陽光発電設備に区分される。
【０００４】
独立型太陽光発電設備は、太陽の光を用いて、発電する太陽電池から構成される太陽電池モジュールを複数個結合して構成した太陽電池アレイ（太陽電池板）と、太陽電池板から発生した電気を貯蔵する蓄電池と、太陽電池板から発生した電気が一定の水準に蓄電池に貯蔵されたり、外部負荷に供給されるようにする電力調節装置と、蓄電器および電力調節装置から供給される直流を交流に変換させるインバータおよび補助発電機から構成される。
【０００５】
このような、太陽光発電は、エネルギー密度が低いので、広い設置面積を必要とし、設置場所も限定的であって、太陽電池板を設置するための空間を確保することが太陽光発電の難題ともいえる。
【０００６】
太陽光用モジュールの設置面積を確保する方案として、日照量が豊富で、開放された広い面積を簡単に確保することができる河川、湖、貯水池、ダムなどの水面に設置することを考えられるし、水面に設置される太陽光発電装置は、ほとんどの太陽電池板が付いた構造物が浮力固定体によって水面の上に浮上するようにしたものである。
【０００７】
しかし、このような構造は、浮力固定体が風や波によって揺れる水面で、たくさん揺れ、これによって、太陽電池板も、たくさん揺れて、円滑な太陽光発電を邪魔する問題がある。
【０００８】
したがって、水面に太陽光集光装置を設置するためには、風や波によって水が大きく揺れても、水の上に浮かんでいる浮力固定体は、常に安定した状態で浮かんでいるだけで、円滑な太陽光を発電することができる。
【０００９】
その他、太陽光用モジュールを陸上に設置する例として、特許文献２のように、建築物の上に設置するが、この場合、設置空間または、面積の制限のため、十分な発電施設物を造成できないという短所がある。
【００１０】
したがって、地上に太陽光用モジュールを直接設置した方が望ましいが、この場合、広大で平坦な地面と豊富な日照量が要求される条件に一致する場所が限定的で、また、そのような条件を満足しても、広大で膨大な面積をあたかもコンクリート道路のように、全部鉄筋コンクリートで打設して平坦化作業を遂行しなければならないだけでなく、太陽光用モジュールを地上に固定するための別途のフレーム固定体をコンクリート地面に固定しなければならないなど、多くの時間と資源が要求されて費用が多すぎて、経済的でないという短所がある。
【先行技術文献】
【特許文献】
【００１１】
【特許文献１】大韓民国公開特許第２００９−００３７０２０号公開特許公報（２００９．４．１５公開）
【特許文献２】大韓民国公開実用新案２０１３−００００９７３号公開実用新案公報（２０１３．２．１３公開）
【発明の概要】
【発明が解決しようとする課題】
【００１２】
上記の従来技術の問題点を解決するため、本発明は、河川、湖、貯水池、ダムの水面に設置して、水位変化によって浮力固定体が昇降して高さ調節が可能な固定式に変更することによって、強い風速と集中豪雨に影響を受けなく、太陽光エネルギーの効率を向上させるようにし、また、このような、浮力固定体を用いて、太陽光用モジュールを手軽で、迅速で、安い費用で地上に設置できるようにする、太陽光セルモジュール構造体を提供するにその目的がある。
【課題を解決するための手段】
【００１３】
上記のような、課題を解決するための手段として本発明は、上段に傾斜面を形成し、水面で浮上可能な浮力体からなる固定体と、上記傾斜面に設置される太陽光セルモジュールを含み、上記太陽光セルモジュールは、上記傾斜面に対して、ボルトで固定されたり、上記傾斜面の両側に形成されたスライド引出し部の内部にスライド挿入されたり、上記傾斜面端から上向き突出した、複数個の支持部の各端顎に安着固定される。
【００１４】
望ましい実施例として、上記構造体は、水上または、陸上に複数個がグループを形成するように連結でき、水上に設置される場合には、縁に位置した固定体が地面に設置された固定支柱とワイヤーで連結されることで、水位変換によって、各固定体が昇降作動可能である。
【００１５】
また、上記構造体が、陸上に設置される場合には、一定の長さを有するアンカーファイルを上記固定体に設置した支持台を貫通させ、地面から地下側へ埋設することで、上記固定体を陸上に設置することができ、また、この時、上記アンカーファイルの上部に雌ネジ部が形成され、上記支持台には、上記雌ネジ部にねじ締結されたボルトが貫通して固定されるようにすることができる。
【発明の効果】
【００１６】
本発明によれば、水上太陽光用モジュール構造体は、河川、湖、貯水池、ダムのような、水面上に太陽光モジュールが上面に結合された浮力体を現場状況によって一列、または、前後左右の方向に配列して一体に連結して設置できる効果がある。
【００１７】
また、太陽光モジュールが結合した浮力体は、水位変化によって、昇降作動し、強い風速と集中豪雨に対しても揺れないように固定して、太陽光集光装置の損傷を防止できるだけでなく、太陽光エネルギーの効率を向上させることができる効果がある。
【００１８】
また、浮力体には、間隔保持突起が形成されて、太陽光セルモジュールに陰ができないように干渉して発電効率を向上させる効果がある。
【００１９】
その上、太陽光用モジュールを地面に固定する時、水上に設置される浮力体を用いると共に、アンカーファイルで浮力体を直接地面に固定するので、地面の鉄筋コンクリート打設工程を排除できるだけでなく、迅速で手軽に太陽光用モジュールを造成することができて、費用が安いながらも、メンテナンスがしやすくて非常に経済的という利点がある。
【図面の簡単な説明】
【００２０】
【図１】本発明の第１実施例による、水上太陽光用モジュール構造体における浮力体を示した斜視図である。
【図２】本発明の第１実施例による、水上太陽光用モジュール構造体における浮力体を連結して示した斜視図である。
【図３】本発明の第１実施例による、水上太陽光用モジュール構造体における浮力体の連結状態を示した分離斜視図である。
【図４】本発明の第１実施例による、水上太陽光用モジュール構造体における浮力体の連結状態を示した結合斜視図である。
【図５】本発明の第１実施例による、水上太陽光用モジュール構造体の連結状態を示した平面図である。
【図６】本発明の第１実施例による、浮力体の変形例を示した斜視図である。
【図７】図６を示した断面図である。
【図８】図６の浮力体に形成した、間隔保持突起が密着された状態を示した断面図である。
【図９ａ】図９ａおよび図９ｂは、本発明の第１実施例による、水上太陽光用モジュール構造体における太陽光セルモジュールを引出し式で結合するのを示した斜視図である。
【図９ｂ】図９ａおよび図９ｂは、本発明の第１実施例による、水上太陽光用モジュール構造体における太陽光セルモジュールを引出し式で結合するのを示した斜視図である。
【図１０】本発明の第１実施例による、水上太陽光用モジュール構造体の設置状態を示した例示図である。
【図１１】本発明の第２実施例による、水上太陽光用モジュール構造体を示した分解斜視図である。
【図１２】図１１実施例の組立斜視図である。
【図１３】図１２実施例の平面図である。
【図１４】図１３のＡ−Ａ線の断面図である。
【図１５】図１１実施例の浮力体と連結具の分離状態を示した斜視図である。
【図１６】図１５実施例において、浮力体と連結具の結束状態を示した斜視図である。
【図１７】図１１実施例の浮力体の複数個が連結された状態の平面図である。
【図１８】図１１実施例の浮力体の複数個が連結された状態の斜視図である。
【図１９】本発明の第３実施例による、陸上太陽光用モジュール構造体を示した分解斜視図である。
【図２０】本発明の第３実施例による、陸上太陽光用モジュール構造体を示した組立状態斜視図である。
【図２１】本発明の第３実施例による、陸上太陽光用モジュール構造体を示した断面図である。
【図２２】本発明の第３実施例による、陸上太陽光用モジュール構造体を示した断面図である。
【図２３】本発明の第３実施例による、陸上太陽光用モジュール構造体の変形構造を示した分解斜視図である。
【図２４】本発明の第３実施例による、陸上太陽光用モジュール構造体の変形構造を示した組立斜視図である。
【図２５】本発明の第４実施例による、陸上太陽光用モジュール構造体を示した分解斜視図である。
【図２６】本発明の第４実施例による、陸上太陽光用モジュール構造体を示した組立斜視図である。
【図２７】本発明の第４実施例による、陸上太陽光用モジュール構造体の変形構造を示した分解斜視図である。
【図２８】本発明の第４実施例による、陸上太陽光用モジュール構造体の変形構造を示した組立斜視図である。
【発明を実施するための形態】
【実施例】
【００２１】
以下、本発明の望ましい実施例を示した図面を参照して、本発明を詳細に説明する。しかし添付した実施例は、本発明の理解を助けるための一実施例であるので、本発明を限るのではなく、当該分野で通常の知識を有する者に自明な技術であるか、または、容易に導出される程度の技術に対しては、それに関する詳細な説明を省略することにする。
【００２２】
図１は、本発明の水上太陽光用モジュール構造体における浮力固定体を示した斜視図であり、図２は、本発明の水上太陽光用モジュール構造体における浮力固定体を連結して示した斜視図であり、図９は、本発明の水上太陽光用モジュール構造体の設置状態を示した例示図である。
【００２３】
本発明の水上太陽光用モジュール構造体は、河川、湖、貯水池、ダムなどの水面に設置されて浮力固定体１により、水位変化によって可変的に昇降作動し、強い風速と集中豪雨に対しても、揺れないように地面に固定された状態を維持する構成である。
【００２４】
したがって、水上太陽光用モジュール構造体は、発電装置を含んだ太陽光セルモジュール３と、ワイヤー１１と、固定支柱１４と、で大きく区分される。
【００２５】
上記固定体１は、プラスチックまたは、ポリウレタンの材質のブロック形状であって、浮力によって、水面の上に浮上可能な構造であり、上面には傾斜面を形成して太陽光を集光するに有利である。
【００２６】
また、固定体１の側面には、同じ高さで、固定ブラケット４が取り付けられて、一列または、前後左右に配列された固定体１を連結フレーム５によって、一体的に結合する。
【００２７】
上記固定体１の傾斜面に取り付けられる太陽光セルモジュール３は、枠に一定の間隔を開けて形成された締結孔にボルトを挿入した後、引き締めて締結して堅固な状態を維持し、安定的に太陽光を集光することができる。
【００２８】
したがって、固定体１を現場状況により、３０−５０ｃｍ間隔を開けて一列に配列した後、固定体１の間を互いに連結するため、連結フレーム５を固定ブラケット４に密着した後、ボルトまたは、ピースで締結すると、風などに動かないで結合した状態を維持する。
【００２９】
また、固定体１を前後左右に連結するためには、固定体１を前後左右に間隔を開けて配列した後、固定体１の間に連結フレーム５を交差するように配列して固定ブラケット４に密着した後、ボルトまたは、ピースで引き締めて締結する。
【００３０】
上記の一列または、前後左右に連結された固定体１が、風に流されないように、水面の中に位置した地面に固定支柱１４を設置し、上記固定支柱１４の上部には、突出するように固定リング１３を形成した後、前後に位置した固定体１とワイヤー１１で連結して固定する。
【００３１】
また、ワイヤー１１の中央部分を切断した後、切断されたワイヤー１１の両終端に雄雌一組のナットとボルトタイプで形成した、ワイヤー引き締め部１２を締結して、引き締めおよび解けることによって、ワイヤーを張った状態で保持して固定体１を固定する。
【００３２】
上記の水上太陽光用モジュール一体型固定体１は、水位変換によって、固定体１が浮上した状態を維持して、太陽光を集光することができる。
【００３３】
図３は、本発明の水上太陽光用モジュール構造体における、固定体の連結状態を示した分離斜視図であり、図４は、本発明の水上太陽光用モジュール構造体における、固定体の連結状態を示した結合斜視図であり、図５は本発明の水上太陽光用モジュール構造体の連結状態を示した平面図である。  
【００３４】
本発明の水上太陽光用モジュール構造体は、連結フレーム５の代わりに固定体１の間をそれぞれ連結できるように、固定ブラケット４にヒンジ穴８が形成され、固定ブラケット４の上部には、両端にヒンジ穴８が形成された連結片６を位置させて、積み重ねた状態で一致したヒンジ穴８にヒンジ７を挿入して締結することで回動可能である。
【００３５】
したがって、上記方法によって、固定体１を一列にまたは、前後左右に配列した後、固定ブラケット４の間に連結片６を位置させてヒンジ７締結することによって、風などによって、移動することができるが、連結片６により固定ブラケット４を固定して間隔を維持することで、太陽光セルモジュール３に陰になることを防止する。
【００３６】
図６は、本発明の浮力固定体の変形例を示した斜視図であり、図７は、図６を示した断面図であり、図８は、本発明の浮力固定体に形成した間隔保持突起が密着された状態を示した断面図である。
【００３７】
本発明の水上太陽光用モジュール構造体は、固定体１の左右の側面に間隔保持突起１０を形成し、間隔保持突起１０の上部に位置した固定ブラケット４を連結片６でヒンジ７締結して、水面に設置すると、太陽光セルモジュール３が互いに干渉して陰ができないように、連結片と間隔保持突起１０が二重で間隔を維持して発電効率を向上させる効果がある。
【００３８】
また、固定体１に形成された間隔保持突起１０は、図に未図示したが、前後左右に突出して固定体１の間に間隔を形成することができる。  
【００３９】
また、固定体１の下部には、均衡錘９が内蔵されて、風に影響を受けないで、だるまのように、いつも垂直状態に浮上できるようにする。
【００４０】
図９ａ、図９ｂは、本発明の水上太陽光用モジュール構造体における、太陽光セルモジュールを引出し式で結合するものを示した斜視図である。
【００４１】
本発明の水上太陽光用モジュール構造体は、固定体１の傾斜した上面にスライド引出し部２が取り付けられる。
【００４２】
上記スライド引出し部２は、枠形状であって、一側は開放された開口部を形成し、枠の内部には、太陽光を集光することができるように通孔した状態を維持する。
【００４３】
したがって、スライド引出し部２の開口部を通じて、太陽光セルモジュール３を挿入すると、スライド引出し部２の両側に形成されたレールを通じて挿入される方式で分離および結合することで着脱可能である。
【００４４】
図１１は、本発明の第２実施例による、水上太陽光用モジュール構造体を示した分解斜視図であり、図１２は、図１１実施例の組立斜視図であり、図１３は、図１２の実施例の平面図であり、図１４は、図１３のＡ−Ａ線の断面図である。
【００４５】
図１１ないし図１３を参照したように、本発明の他の実施例による浮力固定体１は、ほぼ六面体形態だが、上面には傾斜面２１が形成され、下段には十文字形態で突出部が形成されることができる。
【００４６】
また、上記傾斜面２１には、枠の部分に上側方向に突出した支持部２３が複数個形成され、上記各支持部２３の上側には、太陽光セルモジュール３を安着させるため、階段形態になった端顎２２が形成される。
【００４７】
上記太陽光セルモジュール３が上記端顎２２に安着、固定される時、上記端顎２２が支持部２３の上段に配置されると、上記太陽光セルモジュール３の底面と上記傾斜面２１との間に空間が形成されるので、波が打ちつけても海水は傾斜面２１に沿って、下部に排水されて海水が太陽光セルモジュール３まで届かない。
【００４８】
さらに、支持部２３をより高く設計できるので、海水と太陽光セルモジュール３との接触を源泉的防止することができる。
【００４９】
上記傾斜面２１には、固定体１の内部中心部分に砂や砂利、金属ブロックなどの重量体（未図示）を入り込むように注入口２４が形成されることができる。
【００５０】
さらに、上記注入口２４への海水流入を遮断するため、上記注入口２４が傾斜面２１より高く位置させるため、上記注入口２４の端部は、上記傾斜面２１から上向き突出した注入管２５に設置することができる。
【００５１】
また、図１および図４のように、上記注入口２４を完全に密封するため、上記注入管２５の端部には、開閉用栓２６がさらに設置されることができる。
【００５２】
図１５は、図１１の実施例の浮力固定体と連結具の分離状態を示した斜視図であり、図１６は、図１５実施例における、浮力固定体と連結具の結束状態を示した斜視図であり、図１７および図１８は、それぞれ図１１の実施例の浮力固定体複数個が連結された状態の平面図および斜視図である。
【００５３】
図１５ないし図１８を参照したように、上記固定体１の外壁面は、垂直に形成され、その外壁面には、上下方向に溝が形成されたレール２７が形成されることができる。この時、上記レール２７は、上記固定体１の４個の外壁面にそれぞれ設置されることができる。
【００５４】
また、上記レール２７には、一定の長さを有した連結具２８が挿入可能であり、この時、上記レール２７は、溝の上段は開放され、下段は閉鎖されるようにして、上記連結具２８が上側から下側方向に挿入されてスライド移動可能である。
【００５５】
この場合、図１７および図１８のように、複数個の固定体１を左右に並んで配置する場合、各固定体１のレール２７が互いに当てられ、このように互いに隣り合ったレール２７が向かい合った状態で、上記連結具２８を挿入すると、複数個の固定体１をあたかも一つの固定体として一体可能である。
【００５６】
複数個の各固定体１が互いに容易に分離されないようにするため、上記レール２７の平面観側断面は‘Ｔ’形態であり、この場合、隣り合った固定体の各レールが向かい合うことになると、‘工’形態になるので、上記連結具２８の平面観側断面は、隣り合った固定体の各レール２７に結束可能に‘工’形態になることもできる。
【００５７】
しかし、これは例示に過ぎなく、本発明はレール２７と連結具２８の形状を限定するのではない。
【００５８】
また、図１１ないし図１８の実施例において、連結具２８で相互連結した複数の固定体は、図１０に例示したように、地面に設置された固定支柱とワイヤーで連結されて水位変換によって、各固定体が昇降作動可能であるのは言うまでもない。
【００５９】
図１９は、本発明の第３実施例による、陸上太陽光用モジュール構造体を示した分解斜視図であり、図２０は、本発明の第３実施例による、陸上太陽光用モジュール構造体を示した組立状態斜視図であり、図２１および図２２は、本発明の第３実施例による陸上太陽光用モジュール構造体を示した断面図である。
【００６０】
図１９および図２０を参照したように、陸上に太陽光用モジュールを設置するための第１実施形態は、固定体１および支持台３０を含む。
【００６１】
上記固定体１は、上面が傾斜した概略六面体であり、上記傾斜した上面に太陽光セルモジュール３が固定される。
【００６２】
この時、上記固定体１の上面の両側には、互いに向かい合う内側端部が開放されたスライド引出し部２が備えられ、上記スライド引出し部２には、内部に太陽光セルモジュール２が挿入可能になって、太陽光セルモジュール３が固定体１の上面に結合できるようにする。
【００６３】
上記支持台３０は、端面が概略’Ｌ’形態であり、一定の長さを有した棒形態であって、一側には上記固定体１の下部の側面に接して、ねじなどが貫通、固定されるようにする第１ホール３１が形成され、他側には、地面に接してアンカーファイル３３が貫通、固定されるようにする第２ホール３２が形成される。
【００６４】
上記アンカーファイル３３は、上記第２ホール３２を貫通して、地面から地下側に埋設されるように、一定の長さを有する金属材ファイルであり、上記アンカーファイル３３は、岩盤などに打撃または、回転方式によって埋設、固定される。
【００６５】
このように、アンカーファイル３３と支持台３０を用いて、固定体１を固定する場合、地面Ｇがコンクリートである必要なく、土や砂が積もった一般的な地面Ｇであっても、太陽光セルモジュール３の設置が可能である。
【００６６】
図２１を参照したように、上記アンカーファイル３３の上部には、雌ナット部３４が形成され、上記第２ホール３２には、上記雌ネジ部３４にねじ締結されたボルト３５が貫通され、この場合、まず、アンカーファイル３３を地面Ｇに固定した後、支持台３０を用いて、固定体１を固定することができるので、上記アンカーファイル３３と固定体１をより便利に設置することができる。
【００６７】
図２２を参照したように、上記アンカーファイル３３の長さ、または、埋設深さを調整する場合、上記固定体１を地面Ｇから一定の距離、離隔設置することもでき、上記固定体１は、発布合成樹脂材で成型した浮力体１ａであり、この場合、必要に応じて浮力体１ａを用いて、海上と陸上に設置可能である。
【００６８】
図２３は、本発明の第３実施例による、陸上太陽光用モジュール構造体の変形構造を示した分解斜視図であり、図２４は、本発明の第３実施例による陸上太陽光用モジュール構造体の変形構造を示した組立斜視図であって、上記固定体１を複数個設置するための構造である。
【００６９】
図２３および図２４を参照したように、上記浮力体１ａは、複数個が前後左右方向に並んで配列されて、複数個の太陽光セルモジュール３を連続設置することができる。
【００７０】
このため、各浮力体１ａを上記支持台３０を用いて、設置することもでき、また、図示したように、各浮力体１ａの側面に輪４０を突出形成し、上記各輪４０には、一定の長さを有する固定バー４３を水平に貫通させて、各浮力体１ａを相互固定することもできる。
【００７１】
この時、各固定バー４３の一側端部には、それと直角に設置された、さらに他の固定バー４３が貫通して相互連結固定できる固定ホール４４が備えられる。
【００７２】
上記浮力体１ａに形成された輪４０は、必要によって、設置できるように着脱可能に設けられ、このため、上記輪は、‘コ’形態で、各端部には、結束突起４１が形成される一方、上記浮力体１ａの側面には、上記結束突起４１が挿入される結束溝４２が形成され、この場合、上記輪４０が浮力体１ａから着脱可能である。
【００７３】
図２５は、本発明の第４実施例による、陸上太陽光用モジュール構造体を示した分解斜視図であり、図２６は、本発明の第４実施例による陸上太陽光用モジュール構造体を示した組立斜視図であって、上記支持台３０を用いた構造体は、図１９および図２０の実施例の説明と同一であるので、これに対する繰り返しの説明は省略する。
【００７４】
図２５および図２６を参照したように、上記浮力体１ａの傾斜面２１の枠には、複数個の支持部２３が上向き突出され、上記各支持部２３には、上記太陽光セルモジュール３を安着支持する端顎２２が形成され、この場合、傾斜面２１と太陽光セルモジュール３との間に、一定の通風用空間が形成される。
【００７５】
図２７は、本発明の第４実施例による、陸上太陽光用モジュール構造体の変形構造を示した分解斜視図であり、図２８は、本発明の第４実施例による陸上太陽光用モジュール構造体の変形構造を示した組立斜視図である。
【００７６】
図２７および図２８を参照したように、上記浮力体１ａは、複数個が前後左右方向に並んで配列されて、複数個の太陽光セルモジュール３を連続設置することができる。
【００７７】
このため、上記浮力体１ａの外壁面には、上下方向に溝が形成されたレール２７が備えられ、上記レール２７の上部から下側に連結具２８が挿入でき、この時、上記連結具２８は、上記レール２７をはじめとしてそれと隣り合った他の浮力体１ａの外壁面に形成した、他のレール２７に同時に結束されることで、複数の浮力体１ａを相互連結することができる。
【００７８】
このため、上記レール２７の平面観側断面は’Ｔ’形態であり、上記連結具２８の平面観側断面は、隣り合った浮力体の各レール２７に結束可能に’工’形態で形成することができる。
【００７９】
また、上記したように、各浮力体１ａの側面に輪４０を突出形成し、上記各輪４０には、一定の長さを有する固定バー４３を水平に貫通させて各浮力体１ａを相互固定することもできる。
【００８０】
この場合、図２８のように、複数個の浮力体１ａが前後左右に配置された時、最外郭の枠には、上記輪４０および固定バー４３を用いて相互結束し、また、内側に配置された浮力体１ａ、すなわち上記固定バー４３によって固定されていない浮力体１ａは、上記連結具２８を通じてそれと隣り合った浮力体１ａらと相互固定できる。
【００８１】
以上の説明は、たとえ本発明が上記から言及した、望ましい実施例と関連して説明したが、本発明の要旨と範囲から逸することなく、他の多様な修正および変形が可能であることは、当業者であれば容易に認識できるだけでなく、このような、変更および修正は全部添付した特許請求範囲に属するということは自明である。
【符号の説明】
【００８２】
１：固定体
１ａ：浮力体
１ｂ：フレーム構造体
２：スライド引出し部
３：太陽光セルモジュール
４：固定ブラケット
５：連結フレーム
６：連結片
７：ヒンジ
８：ヒンジ穴
９：均衡錘
１０：間隔保持突起
１１：ワイヤー
１２：ワイヤー引き締め部
１３：固定リング
１４：固定支柱
２１：傾斜面
２２：端顎
２３：支持部
２４：注入口
２５：注入管
２６：栓
２７：レール
２８：連結具
３０：支持台
３１：第１ホール
３２：第２ホール
３３：アンカーファイル
３４：雌ネジ部
３５：ボルト
４０：輪
４１：結束突起
４２：結束溝
４３：固定バー
４４：固定溝
【図１】
2014229888.tif 000003
【図２】
2014229888.tif 000004
【図３】
2014229888.tif 000005
【図４】
2014229888.tif 000006
【図５】
2014229888.tif 000007
【図６】
2014229888.tif 000008
【図７】
2014229888.tif 000009
【図８】
2014229888.tif 000010
【図９ａ】
2014229888.tif 000011
【図９ｂ】
2014229888.tif 000012
【図１０】
2014229888.tif 000013
【図１１】
2014229888.tif 000014
【図１２】
2014229888.tif 000015
【図１３】
2014229888.tif 000016
【図１４】
2014229888.tif 000017
【図１５】
2014229888.tif 000018
【図１６】
2014229888.tif 000019
【図１７】
2014229888.tif 000020
【図１８】
2014229888.tif 000021
【図１９】
2014229888.tif 000022
【図２０】
2014229888.tif 000023
【図２１】
2014229888.tif 000024
【図２２】
2014229888.tif 000025
【図２３】
2014229888.tif 000026
【図２４】
2014229888.tif 000027
【図２５】
2014229888.tif 000028
【図２６】
2014229888.tif 000029
【図２７】
2014229888.tif 000030
【図２８】
2014229888.tif 000031
【手続補正書】
【提出日】平成25年7月29日(2013.7.29)
【手続補正２】
【補正対象書類名】特許請求の範囲
【補正対象項目名】請求項５
【補正方法】変更
【補正の内容】
【請求項５】
前記の固定体と前記の固定支柱の間に連結されたワイヤーには、ワイヤー引き締め部が結合されて、ワイヤーを引き締めおよび解け可能になることを特徴とする請求項２〜請求項４のいずれか一項に記載の太陽光セルモジュール構造体。